(57)【要約】【課題】通常の便器洗浄の汚物排出性能に影響を与えることなく、停電時においても便器洗浄を行うことができる水洗大便器を提供することを目的とする。【解決手段】汚物を受けるボウル部と、ボウル部に接続され汚物を排出するとともにボウル部に溜水を形成する排水トラップ部と、排水トラップ部の下流端と排水管の上流端とを接続する排水ソケットと、供給電力により電気的に駆動されボウル部に洗浄水を供給する洗浄水供給手段と、を備え、洗浄水供給手段は、停電時において、使用者の手動操作、非常用電源、および機械要素のいずれかによりボウル部への洗浄水の給水および止水を実行する給水手段を有し、排水ソケットは、停電時において、使用者の手動操作、非常用電源、および機械要素のいずれかにより排水ソケットの流路の断面積を変化させる開閉手段を有することを特徴とする水洗大便器が提供される。【選択図】図２
2013227852.tif 000002
【特許請求の範囲】
【請求項１】
汚物を受けるボウル部と、
前記ボウル部に接続され前記汚物を排出するとともに前記ボウル部に溜水を形成する排水トラップ部と、
前記排水トラップ部の下流端と排水管の上流端とを接続する排水ソケットと、
供給電力により電気的に駆動され前記ボウル部に洗浄水を供給する洗浄水供給手段と、
を備え、
前記洗浄水供給手段は、停電時において、使用者の手動操作、非常用電源、および機械要素のいずれかにより前記ボウル部への洗浄水の給水および止水を実行する給水手段を有し、
前記排水ソケットは、停電時において、使用者の手動操作、非常用電源、および機械要素のいずれかにより前記排水ソケットの流路の断面積を変化させる開閉手段を有することを特徴とする水洗大便器。
【請求項２】
前記開閉手段は、
前記排水ソケットの内側壁と係合可能な支持軸と、
前記支持軸を中心として上下方向に回動することにより前記断面積を変化させる弁体と、
を有する開閉弁を含み、
外部からの操作により前記弁体を前記上下方向に回動させる操作部が前記支持軸に連結されたことを特徴とする請求項１記載の水洗大便器。
【請求項３】
前記開閉弁は、前記排水ソケットの流路の断面を開状態としているときに、前記排水ソケットの下流側に位置していることを特徴とする請求項２記載の水洗大便器。
【請求項４】
前記弁体は、前記開閉弁が前記排水ソケットの流路の断面を開状態としているときに、前記排水ソケットの内側壁に沿った形状を有することを特徴とする請求項２または３に記載の水洗大便器。
【請求項５】
前記開閉弁は、前記排水ソケットの流路の断面を開状態としているときに、前記弁体の背面が前記排水ソケットの内側壁と接触する方向へ第１の付勢手段により付勢されていることを特徴とする請求項４記載の水洗大便器。
【請求項６】
前記弁体は、前記支持軸を中心として下方から上方へ向かって回動することで前記排水ソケットの流路の断面積を狭くすることを特徴とする請求項２〜５のいずれか１つに記載の水洗大便器。
【請求項７】
前記開閉弁が前記排水ソケットの流路の断面積を狭くしている状態において、前記弁体の一部は、前記排水ソケットの内側壁と接触し、前記弁体の他の一部と前記排水ソケットの内側壁との間には隙間が存在することを特徴とする請求項２〜６のいずれか１つに記載の水洗大便器。
【請求項８】
前記開閉弁が前記排水ソケットの流路の断面積を狭くしている状態において、前記弁体の先端部と前記排水ソケットの内側壁との間に隙間が存在することを特徴とする請求項７記載の水洗大便器。
【請求項９】
前記開閉弁が前記排水ソケットの流路の断面積を狭くしている状態において、前記弁体の周縁部は、前記排水ソケットの内側壁と接触していることを特徴とする請求項７または８に記載の水洗大便器。
【請求項１０】
前記支持軸は、前記開閉弁が前記排水ソケットの流路の断面積を狭くしている状態において、前記弁体の先端部よりも上方に位置することを特徴とする請求項２〜９のいずれか１つに記載の水洗大便器。
【請求項１１】
サイホン作用により汚物を排出するサイホン式の水洗大便器であって、
前記排水ソケットは、前記開閉手段の下方の前記排水ソケットの内部に設けられ前記サイホン作用の発生を誘発するサイホン誘発手段を有することを特徴とする請求項１〜１０のいずれか１つに記載の水洗大便器。
【請求項１２】
前記開閉弁が前記排水ソケットの流路の断面を開状態としているときに、前記弁体の背面と前記排水ソケットの内側壁との間に隙間が存在することを特徴とする請求項２〜１１のいずれか１つに記載の水洗大便器。
【請求項１３】
前記排水ソケットの外側に設けられ前記操作部の操作を前記支持軸の回動動作に変換する駆動ユニットをさらに備え、
前記駆動ユニットは、
ケース部材と、
前記操作部と連結され前記ケース部材に案内されて動作することで前記支持軸にトルクを加える伝動部材と、
前記伝動部材と前記支持軸とを連結する連結部材と、
を有し、
前記伝動部材は、前記操作部が引っ張りを受けると動作し、前記支持軸を中心として上下方向に前記弁体を回動させることを特徴とする請求項２〜１２のいずれか１つに記載の水洗大便器。
【請求項１４】
前記駆動ユニットは、前記開閉弁が前記排水ソケットの流路の断面を開状態とする方向へ前記伝動部材を付勢する第２の付勢手段をさらに有することを特徴とする請求項１３記載の水洗大便器。
【発明の詳細な説明】
【技術分野】
【０００１】
本発明の態様は、一般的に、水洗大便器に関し、具体的には洗浄水によって洗浄される水洗大便器に関する。
【背景技術】
【０００２】
洗浄水供給手段を電力により駆動し、便器洗浄を行う水洗大便器がある（特許文献１）。特許文献１に記載された水洗大便器において、洗浄水供給手段の作動中に停電になると、排水トラップ管路とボウル部との連通を封止するための必要な洗浄水量を確保することができなくなる。そのため、加圧ポンプの回転部の慣性力による回転によって必要な量の洗浄水をジェット吐水口に供給し、排水トラップ管路とボウル部との連通を封止している。
【０００３】
このように、特許文献１に記載された水洗大便器においては、排水トラップ管路とボウル部との連通を封止する洗浄水の補充については考慮されている一方で、停電になると便器洗浄自体を行うことが困難になるという点においては改善の余地がある。すなわち、使用者は、バケツ等で水を汲み、便器のボウル部にバケツ等で汲んだ水を流し込む必要がある。そのため、手間と時間がかかるという問題がある。これは、高齢者や疾病者に対しては好ましいものではない。
【０００４】
また、排水管部の終端開口部を開閉するフラッパー弁を備えた水洗便器がある（特許文献２）。特許文献２に記載された水洗便器は、通常時にはモーター駆動でフラッパー弁を開閉することにより便器洗浄を行い、停電時には手動でフラッパー弁を動かすことにより便器洗浄を行う。しかし、特許文献２に記載された水洗便器においては、通常の便器洗浄の際にフラッパー弁が排水管部の内部に突出しているため抵抗となり、汚物等がフラッパー弁に引っ掛かったり詰まったりするという問題がある。
【先行技術文献】
【特許文献】
【０００５】
【特許文献１】特開２００８−１７４９４４号公報
【特許文献２】特開平８−３５２４８号公報
【発明の概要】
【発明が解決しようとする課題】
【０００６】
本発明は、かかる課題の認識に基づいてなされたものであり、通常の便器洗浄の汚物排出性能に影響を与えることなく、停電時においても便器洗浄を行うことができる水洗大便器を提供することを目的とする。
【課題を解決するための手段】
【０００７】
第１の発明は、汚物を受けるボウル部と、前記ボウル部に接続され前記汚物を排出するとともに前記ボウル部に溜水を形成する排水トラップ部と、前記排水トラップ部の下流端と排水管の上流端とを接続する排水ソケットと、供給電力により電気的に駆動され前記ボウル部に洗浄水を供給する洗浄水供給手段と、を備え、前記洗浄水供給手段は、停電時において、使用者の手動操作、非常用電源、および機械要素のいずれかにより前記ボウル部への洗浄水の給水および止水を実行する給水手段を有し、前記排水ソケットは、停電時において、使用者の手動操作、非常用電源、および機械要素のいずれかにより前記排水ソケットの流路の断面積を変化させる開閉手段を有することを特徴とする水洗大便器である。
【０００８】
この水洗大便器によれば、停電時において、使用者の手動操作、非常用電源、および機械要素のいずれかにより前記排水ソケットに設けられた開閉手段を動作させ、排水ソケットの流路の断面積を狭くすることで、ボウル部の内部の水位を上昇させることができる。そして、ボウル部の内部の水位が所定水位まで上昇した後に、開閉手段を開状態とすると、ボウル部に滞留した大量の洗浄水が排水トラップ部に流れ込む。これにより、良好に汚物等を排水管へ排出することができる。また、使用者は、バケツ等で水を汲む作業を行うことなく、簡単に良好な便器洗浄を行うことができる。
【０００９】
また、第２の発明は、第１の発明において、前記開閉手段は、前記排水ソケットの内側壁と係合可能な支持軸と、前記支持軸を中心として上下方向に回動することにより前記断面積を変化させる弁体と、を有する開閉弁を含み、外部からの操作により前記弁体を前記上下方向に回動させる操作部が前記支持軸に連結されたことを特徴とする水洗大便器である。
【００１０】
この水洗大便器によれば、操作部を操作することにより開閉弁の支持軸を回動させ、弁体を上下方向に回動させることができる。そのため、開閉弁がしばらく使用されず、弁体が排水ソケットの内側壁に固着していても、支持軸の回動により簡単に固着状態を破壊することができる。そのため、停電時には、使用者の手動操作、非常用電源、および機械要素のいずれかにより、開閉弁の安定した回動動作が可能となり、良好に汚物等を排水管へ排出することができる。そのため、使用者は、バケツ等で水を汲む作業を行うことなく、簡単に良好な便器洗浄を行うことができる。
【００１１】
また、第３の発明は、第２の発明において、前記開閉弁は、前記排水ソケットの流路の断面を開状態としているときに、前記排水ソケットの下流側に位置していることを特徴とする水洗大便器である。
【００１２】
この水洗大便器によれば、開閉弁が排水ソケットの流路の断面を開状態としているときに排水ソケットの下流側に位置しているため、供給電力があるときの通常の便器洗浄において、水洗大便器の排出性能に影響を与えることなく、汚物等が詰まることを抑えた通常通りの便器洗浄を行うことができる。
【００１３】
また、第４の発明は、第２または第３の発明において、前記弁体は、前記開閉弁が前記排水ソケットの流路の断面を開状態としているときに、前記排水ソケットの内側壁に沿った形状を有することを特徴とする水洗大便器である。
【００１４】
この水洗大便器によれば、供給電力があるときの通常の便器洗浄において、排水ソケットの流路を流れる洗浄水が受ける抵抗を抑制することができる。これにより、水洗大便器の排出性能に影響を与えることなく、汚物等が詰まることを抑えた通常通りの便器洗浄を行うことができる。
【００１５】
また、第５の発明は、第４の発明において、前記開閉弁は、前記排水ソケットの流路の断面を開状態としているときに、前記弁体の背面が前記排水ソケットの内側壁と接触する方向へ第１の付勢手段により付勢されていることを特徴とする水洗大便器である。
【００１６】
この水洗大便器によれば、開閉弁の弁体が排水ソケットの内側壁に沿った形状を有するため、供給電力があるときの通常の便器洗浄において、排水ソケットの流路を流れる洗浄水が受ける抵抗をより一層抑制することができる。これにより、水洗大便器の排出性能に影響を与えることなく、汚物等が詰まることをより一層抑えた通常通りの便器洗浄を行うことができる。
【００１７】
また、第６の発明は、第２〜第５のいずれか１つの発明において、前記弁体は、前記支持軸を中心として下方から上方へ向かって回動することで前記排水ソケットの流路の断面積を狭くすることを特徴とする水洗大便器である。
【００１８】
この水洗大便器によれば、汚物等が弁体の先端部に引っ掛かったり、開閉弁が回動したときに汚物等を挟み込んだりすることを抑えることができる。よって、水洗大便器の排出性能に影響を与えることなく、通常通りの便器洗浄を行うことができる。
【００１９】
また、第７の発明は、第２〜第６のいずれか１つの発明において、前記開閉弁が前記排水ソケットの流路の断面積を狭くしている状態において、前記弁体の一部は、前記排水ソケットの内側壁と接触し、前記弁体の他の一部と前記排水ソケットの内側壁との間には隙間が存在することを特徴とする水洗大便器である。
【００２０】
この水洗大便器によれば、弁体が全周にわたって排水ソケットの内側壁と接触するわけではない。そのため、弁体と排水ソケットの内側壁との接触部分が固着することを抑制することができる。これにより、開閉弁のより安定した回動動作が可能となる。また、良好に汚物等を排水管へ排出することができる。
【００２１】
また、第８の発明は、第７の発明において、前記開閉弁が前記排水ソケットの流路の断面積を狭くしている状態において、前記弁体の先端部と前記排水ソケットの内側壁との間に隙間が存在することを特徴とする水洗大便器である。
【００２２】
この水洗大便器によれば、排水トラップ部を通過し排水ソケットの流路に流入した水は、弁体の先端部と排水ソケットの内側壁との間の隙間を通過し排水管へ排出される。この際に、例えば排水トラップ部のトラップ頂部等に空気が溜まることを抑え、排水トラップ部の内部の空気を弁体の先端部と排水ソケットの内側壁との間の隙間から排出することができる。そのため、排水トラップ部をより確実に満水にして、より確実に汚物等を排水管へ排出することができる。
【００２３】
また、第９の発明は、第７または第８の発明において、前記開閉弁が前記排水ソケットの流路の断面積を狭くしている状態において、前記弁体の周縁部は、前記排水ソケットの内側壁と接触していることを特徴とする水洗大便器である。
【００２４】
この水洗大便器によれば、弁体の周縁部と排水ソケットの内側壁とが接触するため、その接触範囲を抑えることができる。そのため、接触部分が固着することを抑制することできる。これにより、開閉弁のより安定した回動動作が可能となる。また、良好に汚物等を排水管へ排出することができる。
【００２５】
また、第１０の発明は、第２〜第９のいずれか１つの発明において、前記支持軸は、前記開閉弁が前記排水ソケットの流路の断面積を狭くしている状態において、前記弁体の先端部よりも上方に位置することを特徴とする水洗大便器である。
【００２６】
この水洗大便器によれば、排水トラップ部を通過し弁体に到達した洗浄水は、支持軸の方向ではなく先端部の方向へ向かって流れる。これにより、汚物等を含む洗浄水が支持軸の方向へ流れることで、支持軸に詰まりが生じたり、支持軸が脆化することを抑えることができる。
【００２７】
また、第１１の発明は、第１〜第１０のいずれか１つの発明において、サイホン作用により汚物を排出するサイホン式の水洗大便器であって、前記排水ソケットは、前記開閉手段の下方の前記排水ソケットの内部に設けられ前記サイホン作用の発生を誘発するサイホン誘発手段を有することを特徴とする水洗大便器である。
【００２８】
この水洗大便器によれば、開閉手段を動作させ、排水ソケットの流路の断面積を狭くした状態から開閉手段を開状態とした時において、開閉手段弁により滞留された洗浄水を一気にサイホン誘発手段へ導くことができ、サイホン作用を効率的に発生させることができる。そのため、停電時には、使用者の手動操作、非常用電源、および機械要素のいずれかにより、安定したサイホン作用を発生させることができ、良好に汚物等を排出することができる。そのため、使用者は、バケツ等で水を汲む作業を行うことなく、簡単に良好な便器洗浄を行うことができる。
【００２９】
また、第１２の発明は、第２〜第１１のいずれか１つの発明において、前記開閉弁が前記排水ソケットの流路の断面を開状態としているときに、前記弁体の背面と前記排水ソケットの内側壁との間に隙間が存在することを特徴とする水洗大便器である。
【００３０】
この水洗大便器によれば、排水ソケットの流路を流下する水は、弁体の背面と排水ソケットの内側壁との間の隙間を通過できる。そのため、弁体の背面と排水ソケットの内側壁との間の隙間に入り込んだ汚物等を水で洗い流すことができる。これにより、開閉弁のより安定した回動動作が可能となる。また、良好に汚物等を排水管へ排出することができる。
【００３１】
また、第１３の発明は、第２〜第１２のいずれか１つの発明において、前記排水ソケットの外側に設けられ前記操作部の操作を前記支持軸の回動動作に変換する駆動ユニットをさらに備え、前記駆動ユニットは、ケース部材と、前記操作部と連結され前記ケース部材に案内されて動作することで前記支持軸にトルクを加える伝動部材と、前記伝動部材と前記支持軸とを連結する連結部材と、を有し、前記伝動部材は、前記操作部が引っ張りを受けると動作し、前記支持軸を中心として上下方向に前記弁体を回動させることを特徴とする水洗大便器である。
【００３２】
この水洗大便器によれば、使用者は、より容易な操作により、開閉弁のより安定した回動動作を行うことができる。
【００３３】
また、第１４の発明は、第１３の発明において、前記駆動ユニットは、前記開閉弁が前記排水ソケットの流路の断面を開状態とする方向へ前記伝動部材を付勢する第２の付勢手段をさらに有することを特徴とする水洗大便器である。
【００３４】
この水洗大便器によれば、供給電力があるときの通常の便器洗浄において、排水ソケットの流路を流れる洗浄水が受ける抵抗を抑制することができる。これにより、水洗大便器の排出性能に影響を与えることなく、汚物等が詰まることを抑えた通常通りの便器洗浄を行うことができる。
【発明の効果】
【００３５】
本発明の態様によれば、通常の便器洗浄の汚物排出性能に影響を与えることなく、停電時においても便器洗浄を行うことができる水洗大便器が提供される。
【図面の簡単な説明】
【００３６】
【図１】本実施形態にかかる水洗大便器を表す模式的斜視図である。
【図２】本実施形態にかかる水洗大便器を表す模式的断面図である。
【図３】本実施形態にかかる水洗大便器の要部構成を表すブロック図である。
【図４】本実施形態の開閉弁の近傍を拡大した模式的断面図である。
【図５】本実施形態の開閉弁を表す模式的平面図である。
【図６】本実施形態の排水ソケット本体と開閉弁との関係を説明する模式図である。
【図７】本実施形態のサイホン誘発手段を表す模式図である。
【図８】停電時における便器洗浄の動作の具体例を例示する模式的断面図である。
【図９】他の実施形態の排水ソケットを表す模式的斜視図である。
【図１０】本実施形態の排水ソケットを表す模式的平面図である。
【図１１】本実施形態の排水ソケットを表す模式的平面図である。
【図１２】本実施形態の排水ソケットの内部を表す模式的断面図である。
【図１３】本実施形態の排水ソケットを表す模式的斜視図である。
【図１４】本実施形態の排水ソケットを表す模式的平面図である。
【図１５】さらに他の実施形態の排水ソケットを表す模式的斜視図である。
【図１６】本実施形態の排水ソケットを表す模式的平面図である。
【図１７】本実施形態の排水ソケットを表す模式的平面図である。
【図１８】本実施形態の排水ソケットの内部を表す模式的断面図である。
【図１９】本実施形態の排水ソケットを表す模式的斜視図である。
【図２０】本実施形態の排水ソケットを表す模式的平面図である。
【発明を実施するための形態】
【００３７】
以下、本発明の実施の形態について図面を参照しつつ説明する。なお、各図面中、同様の構成要素には同一の符号を付して詳細な説明は適宜省略する。  
図１は、本実施形態にかかる水洗大便器を表す模式的斜視図である。
【００３８】
図１（ａ）および図１（ｂ）に表したように、本実施形態にかかる水洗大便器１０は、便器本体１００と、排水ソケット２００と、を備える。  
便器本体１００は、ボウル部１１０と、排水トラップ部１２０と、を有する。ボウル部１１０は、使用者から排泄された汚物や尿などを受けることができる。排水トラップ部１２０は、ボウル部１１０に接続され、汚物を排水管５０に排出することができる。また、排水トラップ部１２０は、ボウル部１１０に溜水を形成し、例えば排水管５０から悪臭や害虫類などが室内に侵入することを防止する。なお、図示しない便座が、便器本体１００の上面において便器本体１００に対して回動自在に軸支されている。
【００３９】
排水ソケット２００は、便器本体１００の内部に設けられ、排水トラップ部１２０の下流端１２１と、排水管５０の上流端と、を接続する。排水ソケット２００は、排水ソケット本体２１０と、パッキン２２０と、操作部２３０と、を有する。パッキン２２０は、排水ソケット本体２１０の上端部に設けられ、例えばゴムなどの弾力性を有する材料により形成されている。また、パッキン２２０は、上下方向に貫通する貫通孔を有する。排水トラップ部１２０の下流端１２１は、パッキン２２０の貫通孔に挿入され保持されている。
【００４０】
なお、本願明細書においては、図示しない便座に座った使用者からみて上方を「上方」とし、便座に座った使用者からみて下方を「下方」とする。また、便座に座った使用者からみて前方を「前方」とし、便座に座った使用者からみて後方を「後方」とする。また、後方を向いて便器本体１００の前に立った使用者からみて右側を「右側方」とし、後方を向いて便器本体１００の前に立った使用者からみて左側を「左側方」とする。
【００４１】
操作部２３０は、例えば、便器本体１００の後方部の内部から左側方の外部へ突出している。後に詳述するように、使用者は、便器本体１００の外部から操作部２３０を操作することにより、排水ソケット本体２１０の内部に設けられた開閉弁（開閉手段）を動かすことができる。なお、操作部２３０が便器本体１００の外部へ突出する方向は、特に限定されるわけではなく、操作部２３０は、例えば便器本体１００の後方部の内部から右側方の外部へ突出していてもよい。
【００４２】
図２は、本実施形態にかかる水洗大便器を表す模式的断面図である。  
また、図３は、本実施形態にかかる水洗大便器の要部構成を表すブロック図である。  
なお、図２（ａ）および図２（ｂ）は、図１に表した切断面Ａ−Ａにおける模式的断面図である。図２（ａ）は、本実施形態の開閉弁が開いた状態を表す模式的断面図である。図２（ｂ）は、本実施形態の開閉弁が閉じた状態を表す模式的断面図である。図３は、水路系と電気系の要部構成を併せて表している。
【００４３】
まず、図３を参照しつつ本実施形態にかかる水洗大便器１０の要部構成について説明する。  
便器本体１００の後方には、洗浄水供給手段１５０が配置されている。洗浄水供給手段１５０は、以下のように、供給電力により電気的に駆動されボウル部１１０に洗浄水を供給することができる。
【００４４】
洗浄水供給手段１５０には、定流量弁１５５と、電磁弁（給水手段）１５６と、リム吐水用バキュームブレーカ１６４と、が設けられている。さらに、給水路１５１には、貯水タンク１７７への給水とリム吐水とを切り替える切替弁１５７と、貯水タンク１７７と、加圧ポンプ（給水手段）１７３と、ジェット吐水用バキュームブレーカ１６６と、水抜栓１７１と、が内蔵されている。また、洗浄水供給手段１５０には、電磁弁１５６の開閉操作、切替弁１５７の切換操作、及び、加圧ポンプ１７３の回転数や作動時間等を制御するコントローラ１７４が内蔵されている。
【００４５】
定流量弁１５５は、止水栓１５２、ストレーナ１５３、及び分岐金具１５４を介して流入した洗浄水を、所定の流量以下に絞るためのものである。本実施形態においては、この定流量弁１５５は、洗浄水の流量を１６リットル／分以下に制限するようになっている。また、定流量弁１５５を通過した洗浄水は、電磁弁１５６に流入し、電磁弁１５６を通過した洗浄水は、切替弁１５７により、リム吐水口１１３又は貯水タンク１７７に供給されるようになっている。
【００４６】
電磁弁１５６は、コントローラ１７４の制御信号により開閉され、供給された洗浄水を切替弁１５７に流入させ、又は停止させるようになっている。  
また、切替弁１５７は、コントローラ１７４の制御信号により切り替えられ、電磁弁１５６を介して流入した洗浄水をリム吐水口１１３から吐出させ、又は、貯水タンク１７７に流入させるようになっている。
【００４７】
リム吐水用バキュームブレーカ１６４は、切替弁１５７を通過した洗浄水をリム吐水口１１３へ導くリム側給水路１５９の途中に配置され、洗浄水のリム吐水口１１３からの逆流を防止している。また、リム吐水用バキュームブレーカ１６４は、ボウル部１１０の上端面よりも上方に配置され、これにより、逆流を確実に防止している。さらに、リム吐水用バキュームブレーカ１６４の大気開放部から溢れた洗浄水は、戻り管路１６５を通ってフロート式逆止弁１６９を介して貯水タンク１７７に流入するようになっている。
【００４８】
貯水タンク１７７は、ジェット吐水口１１１から吐水すべき洗浄水を貯水するように構成されている。なお、本実施形態において、貯水タンク１７７は、約２．５リットルの内容積を有する。
【００４９】
さらに、本実施形態においては、タンク側給水路１６１の先端（下端）はフロート式逆止弁１６７に接続されており、貯水タンク１７７からタンク側給水路１６１への逆流を防止している。また、貯水タンク１７７の内部には、上端フロートスイッチ１７５及び下端フロートスイッチ１７６が配置されており、貯水タンク１７７内の水位を検出できるようになっている。上端フロートスイッチ１７５は、貯水タンク１７７内の水位が所定の貯水水位に達するとオンに切り替わり、コントローラ１７４はこれを検知して、電磁弁１５６を閉鎖させる。一方、下端フロートスイッチ１７６は、貯水タンク１７７内の水位が所定の水位まで低下するとオンに切り替わり、コントローラ１７４はこれを検知して、加圧ポンプ１７３を停止させる。
【００５０】
加圧ポンプ１７３は、貯水タンク１７７に貯水された洗浄水を加圧して、ジェット吐水口１１１から吐出させるためのものである。加圧ポンプ１７３は、貯水タンク１７７から延びるポンプ側給水路１６２により接続され、貯水タンク１７７内に貯水された洗浄水を加圧する。なお、本実施形態においては、加圧ポンプ１７３は、貯水タンク１７７内の洗浄水を加圧して、洗浄水を最大約１２０リットル／分の流量でジェット吐水口１１１から吐出させるようになっている。
【００５１】
また、加圧ポンプ１７３よりも下方の、貯水タンク１７７の下端部付近の高さにおいて、水抜栓１７１が配置されている。このため、水抜栓１７１を開放することにより、メンテナンス時等に貯水タンク１７７内及び加圧ポンプ１７３内の洗浄水を排出することができる。また、加圧ポンプ１７３の下方には、水受けトレイ１７２が配置されており、結露した水滴や漏水を受けるようになっている。
【００５２】
一方、加圧ポンプ１７３の流出口は、ジェット側給水路１６３を介して、ボウル部１１０の底部のジェット吐水口１１１に接続されている。このジェット側給水路１６３の途中は、上方に向けて凸型に形成されており、この凸型部分の最も高い部分であるジェット側給水路頂部１６３ａは、貯水タンク１７７からジェット吐水口１１１に至る洗浄水管路の中で最も高い部分になっている。さらに、図３に表したように、ジェット側給水路１６３のジェット側給水路頂部１６３ａよりも下流側は、前述したジェット吐水口１１１と同じレベル（高さ）に設定されている。
【００５３】
ジェット側給水路１６３には、一端にオーバーフロー口１６８ａを有するオーバーフロー流路１６８が接続されている。オーバーフロー口１６８ａは、上端フロートスイッチ１７５よりも上方に設けられている。貯水タンク１７７内の水位が上端フロートスイッチ１７５よりも高くなった場合には、貯水タンク１７７内の水は、オーバーフロー口１６８ａからオーバーフロー流路１６８に流入し、加圧ポンプ１７３により加圧され、フラッパー弁１７８を介してジェット吐水口１１１から吐出される。
【００５４】
ジェット吐水用バキュームブレーカ１６６は、切替弁１５７を通過した洗浄水を貯水タンク１７７へ導くタンク側給水路１６１の途中に配置され、洗浄水の貯水タンク１７７からの逆流を防止している。また、ジェット吐水用バキュームブレーカ１６６の大気開放部から溢れた洗浄水は、戻り管路１６５を通ってフロート式逆止弁１６９を介して貯水タンク１７７に流入するようになっている。
【００５５】
コントローラ１７４は、使用者による便器洗浄スイッチ（図示せず）の操作により、電磁弁１５６、切替弁１５７、加圧ポンプ１７３を順次作動させ、リム吐水口１１３及びジェット吐水口１１１からの吐水を順次開始させて、ボウル部１１０を洗浄する。さらに、コントローラ１７４は、洗浄終了後、電磁弁１５６を開放し、切替弁１５７を貯水タンク１７７側に切り替えて洗浄水を貯水タンク１７７に補給する。貯水タンク１７７内の水位が上昇し、上端フロートスイッチ１７５が規定の貯水量を検出すると、コントローラ１７４は、電磁弁１５６を閉鎖して給水を停止する。
【００５６】
図３に表した本実施形態においては、切替弁１５７を切替えることにより、リム側給水路１５９を経由してリム吐水口１１３に洗浄水を供給し、また、タンク側給水路１６１を経由してフロート式逆止弁１６７を介して貯水タンク１７７に洗浄水を補給するようにしている。  
これに対して、本実施形態においては、変形例として、図３に表した電磁弁１５６及び切替弁１５７に代えて、リム吐水用電磁弁及びタンク給水用電磁弁を設けるようにしても良い。具体的には、このリム吐水用電磁弁は、定流量弁１５５の下流側に設けられ、リム側給水路１５９に接続されている。また、タンク給水用電磁弁は、定流量弁１５５の下流側に設けられ、タンク側給水路１６１に接続されている。さらに、これらのリム吐水用電磁弁及びタンク給水用電磁弁の開閉操作（ＯＮ及びＯＦＦ操作）は、コントローラ１７４からの制御信号により行われる。
【００５７】
次に、本実施形態にかかる水洗大便器１０の作用（動作）について説明する。  
待機状態において、便器洗浄スイッチ（図示せず）が操作されると、１回目のリム吐水（前リム洗浄）が開始される。即ち、使用者が便器洗浄スイッチ（図示せず）を操作すると、コントローラ１７４は電磁弁１５６に信号を送って開放させると共に、切替弁１５７をリム吐水口１１３の側に切り替え、水道の給水圧力によりリム吐水口１１３から洗浄水を吐出させる。電磁弁１５６が開放されると、水道から供給された洗浄水が止水栓１５２、ストレーナ１５３、分岐金具１５４を経て定流量弁１５５に流入する。定流量弁１５５では、水道の給水圧力が高い場合には、通過する洗浄水の流量が所定流量に制限され、給水圧力が低い場合には、洗浄水は流れを制限されることなくそのまま通過される。定流量弁１５５を通過した洗浄水は、電磁弁１５６、切替弁１５７を通過し、リム吐水用バキュームブレーカ１６４、リム側給水路１５９を通って、ボウル部１１０の上部の後方左側に開口したリム吐水口１１３から吐出される。リム吐水口１１３から吐出された洗浄水は、ボウル部１１０内を旋回しながら下方へ流下し、ボウル部１１０の内壁面が洗浄される。
【００５８】
その後、ジェット吐水が開始されるが、この間もリム吐水口１１３からは洗浄水の吐水が続いている。  
まず、コントローラ１７４は、加圧ポンプ１７３に信号を送ってこれを起動させる。加圧ポンプ１７３が起動されると、貯水タンク１７７内に貯水されていた洗浄水は、加圧ポンプ１７３に流入し、加圧される。加圧ポンプ１７３によって加圧された洗浄水は、ジェット側給水路１６３のジェット側給水路頂部１６３ａを通って、ボウル部１１０の底部に開口したジェット吐水口１１１から吐出される。
【００５９】
ジェット吐水口１１１から吐出された洗浄水は排水トラップ部１２０内に流入し、排水トラップ部１２０を満水にしてサイホン現象を引き起こす。このサイホン現象により、ボウル部１１０内の溜水及び汚物は、排水トラップ部１２０に吸引され、排水管５０から排出される。
【００６０】
加圧ポンプ１７３によってジェット吐水口１１１から洗浄水が吐出されると、貯水タンク１７７内の水位が降下し、下端フロートスイッチ１７６がＯＮになる。下端フロートスイッチ１７６がＯＮになると、コントローラ１７４は、貯水タンク１７７内に貯水されていた洗浄水が無くなったことを検知し、加圧ポンプ１７３に信号を送ってこれを停止させ、ジェット吐水を終了させる。継続的に行われているリム吐水口１１３からの吐水によりボウル部１１０内の溜水の水位は上昇し、所定のリム吐水時間経過後、ボウル部１１０内は所定の溜水水位に到達する。
【００６１】
リム吐水終了後、貯水タンク１７７の洗浄水が補給される。このとき、前述したように、コントローラ１７４は、電磁弁１５６を開放状態に保持した状態で、切替弁１５７に信号を送って、これを貯水タンク１７７側に切り替え、洗浄水は、貯水タンク１７７内に流入する。
【００６２】
貯水タンク１７７内に洗浄水が補給され、貯水タンク１７７内の水位が規定の貯水水位に達すると、上端フロートスイッチ１７５がＯＮになる。上端フロートスイッチ１７５がＯＮになると、コントローラ１７４は電磁弁１５６に信号を送り、これを閉鎖させる。また、コントローラ１７４は、切替弁１５７に信号を送って、これをリム吐水口１１３の側に切り替える。そして、水洗大便器１０は、待機状態となる。
【００６３】
以上説明したように、本実施形態にかかる水洗大便器１０は、コントローラ１７４からの信号により電磁弁１５６、切替弁１５７、および加圧ポンプ１７３などの動作を制御し、リム吐水口１１３あるいはジェット吐水口１１１から洗浄水を吐出させて便器洗浄を行う。ここで、停電になると、コントローラ１７４、電磁弁１５６、切替弁１５７、および加圧ポンプ１７３などの動作が停止し、便器洗浄自体を行うことが困難となる。例えば、使用者は、バケツ等で水を汲み、便器本体１００のボウル部１１０にバケツ等で汲んだ水を流し込む必要がある。そのため、手間と時間がかかる。これは、高齢者や疾病者に対しては好ましいものではない。
【００６４】
これに対して、本実施形態にかかる水洗大便器１０の排水ソケット２００は、開閉弁（開閉手段）２４０を有する。開閉弁２４０は、通常時（通電時あるいは電力供給時）には、図２（ａ）に表したように開状態に維持され、排水ソケット本体２１０の流路断面積を変化させてはいない。一方、開閉弁２４０は、停電時において、使用者の操作部２３０（図１参照）の操作により排水ソケット本体２１０の流路断面積を変化させることができる。
【００６５】
具体的には、開閉弁２４０は、支持軸２４３を有し、その支持軸２４３において排水ソケット本体２１０に対して回動自在に軸支されている。また、後に詳述するように、開閉弁２４０の支持軸２４３は、操作部２３０と連結されている。そのため、使用者は、操作部２３０を適宜操作することで、図２（ａ）に表した矢印Ａ１のように、支持軸２４３を略中心として開閉弁２４０を回動させることができる。そして、図２（ｂ）に表したように、使用者は、開閉弁２４０により排水ソケット本体２１０の流路断面積を狭くし、排水ソケット本体２１０の流路をほぼ閉鎖状態とすることができる。
【００６６】
なお、開閉弁２４０は、排水ソケット本体２１０の流路を完全に閉鎖する必要はない。すなわち、開閉弁２４０が排水ソケット本体２１０の流路を閉鎖した状態において、リム吐水口１１３およびジェット吐水口１１１から供給される洗浄水によりボウル部１１０の内部の水位を上昇させることができれば、開閉弁２４０と排水ソケット本体２１０の流路との間に隙間が生じていてもよい。
【００６７】
この状態において、使用者は、手動操作または非常用電源により給水手段（電磁弁１５６あるいは加圧ポンプ１７３）を動作させ、リム吐水口１１３あるいはジェット吐水口１１１からボウル部１１０へ洗浄水を供給する。非常用電源としては、例えば電池や蓄電池などが挙げられる。このとき、リム吐水口１１３から供給される洗浄水の流量だけでは、排水トラップ部１２０を満水にできず、サイホン現象を引き起こすことはできない。また、手動操作または非常用電源による加圧ポンプ１７３の動作に基づいてジェット吐水口１１１から供給される洗浄水の流量だけでは、リム吐水口からの洗浄水の供給と同様に、排水トラップ部１２０を満水にできず、サイホン現象を引き起こすことはできない。
【００６８】
これに対して、前述したように、使用者は、開閉弁２４０により排水ソケット本体２１０の流路断面積を狭くしているため、リム吐水口１１３およびジェット吐水口１１１から供給される洗浄水によりボウル部１１０の内部の水位を上昇させることができる。そして、ボウル部１１０の内部の水位が所定水位まで上昇した後に、使用者は、操作部２３０を適宜操作することで、図２（ｂ）に表した矢印Ａ２のように、開閉弁２４０を回動させる。すると、ボウル部１１０に滞留した大量の洗浄水が排水トラップ部１２０に流れ込むことで、排水トラップ部１２０を満水にしてサイホン現象を引き起こすことができる。
【００６９】
これによれば、停電時あっても大量の洗浄水を排水トラップ部１２０に流入させることができるため、良好に汚物等を排水管５０へ排出することができる。そのため、使用者は、バケツ等で水を汲む作業を行うことなく、簡単に良好な便器洗浄を行うことができる。
【００７０】
なお、本実施形態では、便器本体１００がサイホン作用により汚物等を排出するサイホン式の便器である場合を例に挙げて説明した。但し、本実施形態では、便器本体１００は、サイホン式の便器に限定されず、サイホン作用を生じないいわゆる「洗い落とし式」の便器であってもよい。便器本体１００が洗い落とし式の便器であっても、前述した効果と同様の効果が得られる。以下の説明では、説明の便宜上、便器本体１００がサイホン式の便器である場合を例に挙げる。
【００７１】
本実施形態の開閉弁２４０の構造および動作について、図面を参照しつつさらに説明する。  
図４は、本実施形態の開閉弁の近傍を拡大した模式的断面図である。  
また、図５は、本実施形態の開閉弁を表す模式的平面図である。  
また、図６は、本実施形態の排水ソケット本体と開閉弁との関係を説明する模式図である。
【００７２】
なお、図４（ａ）は、図２（ａ）に表した範囲Ａ１１を拡大した模式的断面図である。図４（ｂ）は、図２（ｂ）に表した範囲Ａ１２を拡大した模式的断面図である。図５（ａ）は、本実施形態の開閉弁２４０を上方から眺めた模式的平面図である。図５（ｂ）は、本実施形態の開閉弁２４０を正面から眺めた模式的平面図である。図５（ｃ）は、本実施形態の開閉弁２４０を側方から眺めた模式的平面図である。図６（ａ）は、本実施形態の排水ソケット２００を側方から眺めた模式的平面図である。図６（ｂ）は、図６（ａ）に表した切断面Ｂ−Ｂにおける模式的断面図である。
【００７３】
図５（ａ）〜図５（ｃ）に表したように、本実施形態の開閉弁２４０は、弁体２４１と、支持軸２４３と、を有する。図６（ａ）および図６（ｂ）に表したように、支持軸２４３は、排水ソケット本体２１０の内側壁（流路内壁）２１１と係合可能である。そして、開閉弁２４０は、支持軸２４３において排水ソケット本体２１０に対して回動自在に軸支されている。つまり、開閉弁２４０は、例えば、図４（ａ）に表した矢印Ａ１および図４（ｂ）に表した矢印Ａ２のように、支持軸２４３を略中心として上下方向に回動可能である。また、図６（ｂ）に表したように、開閉弁２４０の支持軸２４３は、操作部２３０と連結されている。開閉弁２４０が支持軸２４３を略中心として回動することで、弁体２４１は、排水ソケット本体２１０の流路断面積を変化させることができる。
【００７４】
図４（ａ）に表したように、開閉弁２４０は、通常時には、開状態に維持されている。言い換えれば、開閉弁２４０は、通常時には、排水ソケット本体２１０の流路断面を開状態としている。このときに、開閉弁２４０は、排水管５０の近傍すなわち排水ソケット２００の下流側に位置している。そのため、供給電力があるときの通常の便器洗浄において、水洗大便器１０の排出性能に影響を与えることなく、汚物等が詰まることを抑えた通常通りの便器洗浄を行うことができる。
【００７５】
また、図４（ａ）に表したように、開閉弁２４０が排水ソケット本体２１０の流路断面を開状態としているときにおいて、開閉弁２４０の弁体２４１は、平面視で排水ソケット本体２１０の流路断面の中心点を中心として外側に円を描いた円弧状に形成されており、排水ソケット本体２１０の内側壁２１１に沿った形状を有する。また、弁体２４１の表面（洗浄水が流れる側の面）は、排水ソケット本体２１０の内側壁２１１の表面と同一面あるいはそれよりも後退した位置の面として設けられている。そのため、供給電力があるときの通常の便器洗浄において、排水ソケット本体２１０の流路を流れる洗浄水が受ける抵抗を抑制することができる。これにより、水洗大便器１０の排出性能に影響を与えることなく、汚物等が詰まることを抑えた通常通りの便器洗浄を行うことができる。
【００７６】
図６（ｂ）に表したように、排水ソケット本体２１０の外部であって、支持軸２４３と操作部２３０との連結部の近傍には、例えばばねなどの付勢手段２３５（第１の付勢手段）が設けられている。付勢手段２３５は、開閉弁２４０が排水ソケット本体２１０の流路断面を開状態としているときに、弁体２４１の表面とは反対の側の背面が排水ソケット本体２１０の内側壁２１１と接触するように開閉弁２４０を付勢している。つまり、付勢手段２３５は、開閉弁２４０が排水ソケット本体２１０の流路断面を開状態とする方向に開閉弁２４０を付勢している。
【００７７】
そのため、開閉弁２４０の弁体２４１が排水ソケット本体２１０の内側壁２１１に沿った形状を有するため、供給電力があるときの通常の便器洗浄において、排水ソケット本体２１０の流路を流れる洗浄水が受ける抵抗をより一層抑制することができる。これにより、水洗大便器１０の排出性能に影響を与えることなく、汚物等が詰まることをより一層抑えた通常通りの便器洗浄を行うことができる。
【００７８】
続いて、図４（ａ）に表した矢印Ａ１のように、使用者は、操作部２３０を適宜操作することで支持軸２４３を略中心として開閉弁２４０を回動させ、開閉弁２４０により排水ソケット本体２１０の流路断面積を狭くすることができる。ここで、開閉弁２４０は、支持軸２４３を略中心として上下方向に回動可能であるため、開閉弁２４０がしばらく使用されず、弁体２４１が排水ソケット本体２１０の内側壁２１１に固着していても、回動操作により簡単に固着状態を破壊することができる。そのため、停電時には、使用者の手動操作または非常用電源により、開閉弁２４０の安定した回動動作が可能となり、良好に汚物等を排水管５０へ排出することができる。そのため、使用者は、バケツ等で水を汲む作業を行うことなく、簡単に良好な便器洗浄を行うことができる。
【００７９】
また、開閉弁２４０および排水ソケット本体２１０は、樹脂により形成されている。そして、開閉弁２４０を形成する樹脂と、排水ソケット本体２１０を形成する樹脂と、が互いに接触する。つまり、開閉弁２４０と排水ソケット本体２１０とは、例えばゴムなどのパッキンにより密着するわけではない。例えば、開閉弁２４０が排水ソケット本体２１０の流路断面積を狭くしている状態において、弁体２４１の一部は、排水ソケット本体２１０の内側壁と接触している。開閉弁２４０が排水ソケット本体２１０の流路断面積を狭くしている状態において、弁体２４１の他の一部と排水ソケット本体２１０の内側壁との間には隙間が存在する。
【００８０】
そのため、本実施形態では、弁体２４１の先端部（支持軸２４３とは反対側の端部）２４１ａと、排水ソケット本体２１０の内側壁２１１と、の間に隙間が存在する。そのため、図４（ｂ）に表した矢印Ａ３のように、排水トラップ部１２０を通過し排水ソケット本体２１０に流入した水は、弁体２４１の先端部２４１ａと排水ソケット本体２１０の内側壁２１１との間の隙間を通過し排水管５０へ排出される。これにより、リム吐水口１１３およびジェット吐水口１１１から供給される洗浄水によりボウル部１１０の内部の水位が上昇するときに、例えば排水トラップ部１２０のトラップ頂部１２３（図２（ａ）および図２（ｂ）参照）に空気が溜まることを抑え、排水トラップ部１２０の内部の空気を流れやすくすることができる。そのため、排水トラップ部１２０をより確実に満水にして、より確実にサイホン現象を引き起こすことができる。
【００８１】
なお、図４（ｂ）に表した状態では、弁体２４１の周縁部が排水ソケット本体２１０の内側壁２１１と接触（線接触）しているが、弁体２４１と排水ソケット本体２１０の内側壁２１１との接触状態は、これだけに限定されるわけではない。例えば、水洗大便器１０の排出性能に影響を与えない程度の突起部が排水ソケット本体２１０の内側壁２１１に設けられ、弁体２４１の周端部の表面がその突起部に接触（面接触）してもよい。  
弁体２４１の周縁部が排水ソケット本体２１０の内側壁２１１と接触（線接触）する場合には、弁体２４１と排水ソケット本体２１０の内側壁２１１との接触部分が固着することを抑制することができる。これにより、開閉弁２４０のより安定した回動動作が可能となる。また、良好に汚物等を排水管５０へ排出することができる。
【００８２】
また、図４（ａ）に表したように、開閉弁２４０が排水ソケット本体２１０の流路断面を開状態としているときに、支持軸２４３は、弁体２４１よりも上方に位置する。つまり、支持軸２４３から弁体２４１の先端部２４１ａへ向かう方向は、略下方となっている。そして、図４（ａ）に表した矢印Ａ１のように、開閉弁２４０は、支持軸２４３を略中心として下方から上方へ向かって回動することで、排水ソケット本体２１０の流路断面積を狭くする。そのため、汚物等が弁体２４１の先端部２４１ａに引っ掛かったり、開閉弁２４０が回動したときに汚物等を挟み込んだりすることを抑えることができる。また、水洗大便器１０の排出性能に影響を与えることなく、通常通りの便器洗浄を行うことができる。
【００８３】
また、図４（ｂ）に表したように、開閉弁２４０が排水ソケット本体２１０の流路断面積を狭くしているときに、支持軸２４３は、弁体２４１の先端部２４１ａより上方に位置する。そのため、図４（ｂ）に表した矢印Ａ４のように、排水トラップ部１２０を通過し弁体２４１に到達した洗浄水は、支持軸２４３の方向ではなく先端部２４１ａの方向へ向かって流れる。これにより、汚物等を含む洗浄水が支持軸２４３の方向へ流れることで、支持軸２４３に詰まりが生じたり、支持軸２４３が脆化することを抑えることができる。
【００８４】
図７は、本実施形態のサイホン誘発手段を表す模式図である。  
図７（ａ）は、本実施形態のサイホン誘発手段を表す模式的平面図である。図７（ｂ）は、図７（ａ）に表した切断面Ｃ−Ｃにおける模式的断面図である。  
図３に関して前述したように、本実施形態にかかる水洗大便器１０は、サイホン作用により汚物等を排出するサイホン式の便器である。
【００８５】
ここで、図２（ａ）、図２（ｂ）、図４（ａ）、および図４（ｂ）に表したように、排水ソケット２００は、排水ソケット本体２１０の内部に設けられたサイホン誘発手段２５０を有する。サイホン誘発手段２５０は、開閉弁２４０の下方に設けられている。また、サイホン誘発手段２５０は、絞り部２５１と、突起部２５３ａ、２５３ｂ、２５３ｃ、２５３ｄと、を有する。
【００８６】
絞り部２５１は、排水ソケット本体２１０の流路断面積よりも狭い断面積を有する。また、突起部２５３ａ、２５３ｂ、２５３ｃ、２５３ｄは、サイホン誘発手段２５０の内側壁２５５から流路の中心へ向かって突出した形状を有する。
【００８７】
これによれば、絞り部２５１および突起部２５３ａ、２５３ｂ、２５３ｃ、２５３ｄは、開閉弁２４０の開弁時において、開閉弁２４０により滞留された洗浄水を一気にサイホン誘発手段２５０へ導くことができ、サイホン作用を効率的に発生させることができる。そのため、停電時には、使用者の手動操作または非常用電源により、安定したサイホン作用を発生させることができ、良好に汚物等を排出することができる。そのため、使用者は、バケツ等で水を汲む作業を行うことなく、簡単に良好な便器洗浄を行うことができる。
【００８８】
次に、停電時における便器洗浄の動作の具体例について、図面を参照しつつ説明する。  図８は、停電時における便器洗浄の動作の具体例を例示する模式的断面図である。
【００８９】
使用者は、停電時に排泄行為を行ったときには、図８（ａ）に表したように、まず、操作部２３０を操作することで支持軸２４３を略中心として開閉弁２４０を回動させ、開閉弁２４０により排水ソケット本体２１０の流路断面積を狭くする。  
続いて、使用者は、非常用電源により電磁弁１５６を動作させる。このとき、図３に関して前述したように、切替弁１５７は、待機状態においてリム吐水口１１３の側に切り替えられているため、リム吐水口１１３からボウル部１１０へ洗浄水を供給することができる。また、このとき、図６（ｂ）に関して前述したように、開閉弁２４０は、付勢手段２３５により排水ソケット本体２１０の流路断面を開状態とする方向に付勢されている。そのため、使用者は、操作部２３０を保持し、開閉弁２４０により排水ソケット本体２１０の流路断面積を狭くした状態を維持する。
【００９０】
すると、リム吐水口１１３からボウル部１１０へ供給される洗浄水の流量は、弁体２４１の先端部２４１ａと排水ソケット本体２１０の内側壁２１１との間の隙間を通過する洗浄水の流量よりも多いため、図８（ｂ）に表したように、ボウル部１１０の内部の水位が上昇する。  
なお、使用者は、リム吐水口１１３からボウル部１１０への洗浄水の供給を開始した後に、操作部２３０を操作して開閉弁２４０により排水ソケット本体２１０の流路断面積を狭くしてもよい。
【００９１】
続いて、ボウル部１１０の内部の水位が所定水位まで上昇した後に、使用者は、操作部２３０を操作することで支持軸２４３を略中心として開閉弁２４０を回動させ、排水ソケット本体２１０の流路断面を開状態とする。このとき、開閉弁２４０が付勢手段２３５により排水ソケット本体２１０の流路断面を開状態とする方向に付勢されているため、使用者は、操作部２３０から手を離すことで、あるいは操作部２３０を軽く操作することで、開閉弁２４０を回動させることができる。すると、図８（ｃ）に表したように、ボウル部１１０に滞留した大量の洗浄水が排水トラップ部１２０に流れ込むことで、排水トラップ部１２０が満水となり、サイホン現象が発生する。
【００９２】
これにより、停電時あっても便器洗浄を行うことができ、良好に汚物等を排水管５０へ排出することができる。そのため、使用者は、バケツ等で水を汲む作業を行うことなく、簡単に良好な便器洗浄を行うことができる。
【００９３】
続いて、ボウル部１１０に滞留した大量の洗浄水が排出され、サイホン現象が終了すると、リム吐水口１１３からボウル部１１０へ供給される洗浄水によりボウル部１１０の内部の水位が上昇する。そして、図８（ｄ）に表したように、ボウル部１１０の内部の水位が溢流水位まで上昇した後に、使用者は、非常用電源により電磁弁１５６を動作させ、リム吐水口１１３からの洗浄水の供給を停止する。これにより、停電時における便器洗浄の動作が完了する。
【００９４】
なお、本実施形態において、開閉弁２４０を開閉させる手段は、使用者の操作部２３０の手動操作による手段だけに限定されるわけではない。例えば、非常用電源により駆動可能なモータユニットであって開閉弁２４０を開閉させるモータユニットなどが設けられていてもよい。
【００９５】
また、開閉弁２４０を動作させ排水ソケット本体２１０の流路断面を開状態とする手段は、使用者の操作部２３０の手動操作による手段だけに限定されるわけではない。例えば、例えばクラッチ機構などの機械要素が、開閉弁２４０を動作させ排水ソケット本体２１０の流路断面を開状態としてもよい。この場合には、クラッチ機構は、滞留した洗浄水の重さにより開閉弁２４０にかかる荷重が所定値以上となると、開閉弁２４０を動作させ排水ソケット本体２１０の流路断面を開状態とすることができる。また、例えば、タイマーが開閉弁２４０を動作させ排水ソケット本体２１０の流路断面を開状態としてもよい。このタイマーは、非常用電源により動作するものでもよいし、例えば「ぜんまい」などの機械要素により動作するものでもよい。
【００９６】
また、ボウル部１１０への洗浄水の給水および止水を実行する手段は、非常用電源により電磁弁１５６を動作させる手段だけに限定されるわけではない。例えば、使用者の手動操作により電磁弁１５６の開閉動作が行われてもよい。あるいは、ボウル部１１０への洗浄水の止水を実行する手段は、タイマーによる手段であってもよい。このタイマーは、非常用電源により動作するものでもよいし、例えば「ぜんまい」などの機械要素により動作するものでもよい。
【００９７】
また、ボウル部１１０への洗浄水の給水および止水を実行する手段は、電磁弁１５６だけに限定されるわけではない。例えば、加圧ポンプ１７３が非常用電源などにより動作し、ジェット吐水口１１１からボウル部１１０へ洗浄水を供給してもよい。このとき、加圧ポンプ１７３の回転数は、供給電力があるときの回転数よりも少なく、ジェット吐水口１１１から供給される洗浄水の流量は、供給電力があるときの流量よりも少ない。但し、停電時にジェット吐水口１１１から供給される洗浄水の流量は、弁体２４１の先端部２４１ａと排水ソケット本体２１０の内側壁２１１との間の隙間を通過する洗浄水の流量よりも多い。そのため、ボウル部１１０の内部の水位を上昇させることができる。
【００９８】
次に、他の実施形態の排水ソケットについて、図面を参照しつつ説明する。  
図９は、他の実施形態の排水ソケットを表す模式的斜視図である。  
図１０は、本実施形態の排水ソケットを表す模式的平面図である。  
図９（ａ）は、本実施形態にかかる水洗大便器１０を斜め後方から眺めた模式的斜視図である。図９（ｂ）は、本実施形態にかかる水洗大便器１０を図９（ａ）に表した矢印Ａ１５の方向にみたときの模式的斜視図である。  
図１０（ａ）は、本実施形態の水洗大便器１０を左側方から眺めた模式的平面図である。図１０（ｂ）は、本実施形態にかかる水洗大便器１０を後方から眺めた模試的平面図である。
【００９９】
便器本体１００は、図１（ａ）および図１（ｂ）に関して前述した便器本体１００と同様である。  
本実施形態の排水ソケット２００ａは、便器本体１００の内部に設けられ、排水トラップ部１２０の下流端１２１と、排水管５０の上流端と、を接続する。排水ソケット２００ａは、排水ソケット本体２１０と、パッキン２２０と、操作部２３０ａと、駆動ユニット２６０ａと、を有する。パッキン２２０は、排水ソケット本体２１０の上端部に設けられ、例えばゴムなどの弾力性を有する材料により形成されている。また、パッキン２２０は、上下方向に貫通する貫通孔を有する。排水トラップ部１２０の下流端１２１は、パッキン２２０の貫通孔に挿入され保持されている。
【０１００】
操作部２３０ａは、例えばレリースワイヤなどである。すなわち、図９（ａ）および図９（ｂ）に表した操作部２３０ａは、アウターチューブ２３１ａと、インナーワイヤ２３３ａと、把持部２３６ａと、を有する。インナーワイヤ２３３ａは、アウターチューブ２３１ａの内部を移動自在に設けられている。例えば、使用者が把持部２３６ａを掴み引っ張ると、インナーワイヤ２３３ａは、アウターチューブ２３１ａの内部から引き出される方向へ移動する。
【０１０１】
図９（ａ）〜図１０（ｂ）に表したように、操作部２３０ａは、便器本体１００の後方へ引き出されている。なお、図９（ａ）に表した操作部２３０ａは、説明の便宜上、便器本体１００の外部へ引き出されている。図９（ｂ）、図１０（ａ）および図１０（ｂ）に表したように、操作部２３０ａが便器本体１００に取り付けられた状態では、インナーワイヤ２３３ａ、アウターチューブ２３１ａおよび把持部２３６ａは、便器本体１００の内部において適宜配置されている。例えば、使用者は、便器本体１００の側部に取り付けられたパネル１０１を取り外すことにより、把持部２３６ａをより容易に掴み操作することができる。駆動ユニット２６０ａについては、後に詳述する。
【０１０２】
図１１は、本実施形態の排水ソケットを表す模式的平面図である。  
図１２は、本実施形態の排水ソケットの内部を表す模式的断面図である。  
図１３は、本実施形態の排水ソケットを表す模式的斜視図である。  
図１４は、本実施形態の排水ソケットを表す模式的平面図である。
【０１０３】
図１１（ａ）は、操作部が操作される前の駆動ユニットの状態を表す模式的平面図である。図１１（ｂ）は、操作部が操作された後の駆動ユニットの状態を表す模式的平面図である。  
図１２（ａ）および図１２（ｂ）は、図１３（ａ）に表した切断面Ｄ−Ｄにおける模式的断面図である。図１２（ａ）は、排水ソケット本体の流路断面が開状態である場合を表す。図１２（ｂ）は、排水ソケット本体の流路断面が閉状態である場合を表す。  
図１３（ａ）は、排水ソケットを表す模式的斜視図である。図１３（ｂ）は、駆動ユニットおよび開閉弁を拡大して表した模式的斜視図である。図１３（ｂ）では、排水ソケット本体２１０を省略している。
【０１０４】
図１１（ａ）および図１１（ｂ）に表したように、駆動ユニット２６０ａは、排水ソケット本体２１０の外側に付設されている。駆動ユニット２６０ａは、ケース部材２６１ａと、伝動部材２６３ａと、連結部材２６５ａと、回動軸２６７ａと、付勢手段２６９ａ（第２の付勢手段）と、を有する。ケース部材２６１ａは、操作部２３０ａのアウターチューブ２３１ａ、伝動部材２６３ａ、連結部材２６５ａ、回動軸２６７ａおよび付勢手段２６９ａを保持する。
【０１０５】
伝動部材２６３ａは、接続部２６４ａにおいて操作部２３０ａのインナーワイヤ２３３ａと連結されている。伝動部材２６３ａは、インナーワイヤ２３３ａの移動に伴いケース部材２６１ａに案内されて移動する。伝動部材２６３ａは、連結部材２６５ａおよび回動軸２６７ａを介して支持軸２４３にトルクを加える。連結部材２６５ａは、伝動部材２６３ａと回動軸２６７ａとを連結する。連結部材２６５ａは、例えば金属の板材により形成され、弾性を有する。回動軸２６７ａは、ケース部材２６１ａに対して回動自在に軸支され、開閉弁２４０の支持軸２４３と接続されている。開閉弁２４０は、回動軸２６７ａが回動すると、例えば図１２（ａ）に表した矢印Ａ２３あるいは図１２（ｂ）に表した矢印Ａ２４のように回動する。
【０１０６】
付勢手段２６９ａとしては、例えばコイルばねなどが挙げられる。図１１（ａ）および図１１（ｂ）に表したように、付勢手段２６９ａの一端は、ケース部材２６１ａと接触している。付勢手段２６９ａの他端は、伝動部材２６３ａと接触している。あるいは、付勢手段２６９ａの他端は、伝動部材２６３ａに取り付けられている。
【０１０７】
駆動ユニット２６０ａは、操作部２３０ａの操作（例えば把持部２３６ａの引っ張り動作）を回動軸２６７ａの回動動作に変換する。  
すなわち、例えば使用者が操作部２３０ａを操作する（例えば把持部２３６ａを引っ張る）前においては、付勢手段２６９ａは、図１１（ａ）に表した矢印Ａ２１の方向へ伝動部材２６３ａを付勢している。これにより、連結部材２６５ａは、図１１（ａ）に表した矢印Ａ２５の方向へ回動軸２６７ａを回動させている。このとき、図１２（ａ）に表したように、開閉弁２４０は、開状態に維持されている。言い換えれば、開閉弁２４０は、排水ソケット本体２１０の流路断面を開状態としている。つまり、付勢手段２６９ａは、開閉弁２４０が排水ソケット本体２１０の流路断面を開状態とする方向へ伝動部材２６３ａを付勢する。
【０１０８】
図１２（ａ）に表したように、開閉弁２４０が排水ソケット本体２１０の流路断面を開状態としているときには、弁体２４１の背面２４１ｂと排水ソケット本体２１０の内側壁２１１との間に隙間が存在する。これによれば、排水ソケット本体２１０の流路を流下する水は、弁体２４１の背面２４１ｂと排水ソケット本体２１０の内側壁２１１との間の隙間を通過できる。そのため、弁体２４１の背面２４１ｂと排水ソケット本体２１０の内側壁２１１との間の隙間に入り込んだ汚物等を水で洗い流すことができる。これにより、開閉弁２４０のより安定した回動動作が可能となる。また、良好に汚物等を排水管５０へ排出することができる。
【０１０９】
例えば使用者が操作部２３０ａを操作する（例えば把持部２３６ａを引っ張る）と、 操作部２３０ａのインナーワイヤ２３３ａは、伝動部材２６３ａを引っ張る。すると、伝動部材２６３ａは、付勢手段２６９ａから受ける付勢力に対抗しつつ、図１１（ｂ）に表した矢印Ａ２２の方向へ移動する。すると、連結部材２６５ａは、図１１（ｂ）に表した矢印Ａ２６の方向へ回動軸２６７ａを回動させる。これにより、図１２（ａ）に表した矢印Ａ２３のように、開閉弁２４０は、支持軸２４３を略中心として下方から上方へ向かって回動する。
【０１１０】
そして、図１２（ｂ）に表したように、弁体２４１の一部は、排水ソケット本体２１０の内側壁２１１と接触する。一方で、弁体２４１の他の一部は、排水ソケット本体２１０の内側壁２１１と接触しない。つまり、弁体２４１の他の一部と排水ソケット本体２１０の内側壁２１１との間には、隙間が存在する。
【０１１１】
具体的には、開閉弁２４０が排水ソケット本体２１０の流路断面を閉状態としているときには、弁体２４１の先端部２４１ａは、排水ソケット本体２１０の内側壁２１１と接触している。一方で、弁体２４１の周縁部２４１ｃと、排水ソケット本体２１０の内側壁２１１と、の間には、隙間が存在する。そのため、図１２（ｂ）に表した矢印Ａ２７のように、排水トラップ部１２０を通過し排水ソケット本体２１０に流入した水は、弁体２４１の周縁部２４１ｃと排水ソケット本体２１０の内側壁２１１との間の隙間を通過し排水管５０へ排出される。
【０１１２】
これによれば、ボウル部１１０の外部に洗浄水が溢れることを抑制することができる。また、支持軸２４３から比較的遠い先端部２４１ａが排水ソケット本体２１０の内側壁２１１と接触することで、弁体２４１と排水ソケット本体２１０の内側壁２１１との間の隙間をより容易に制御することができる。
【０１１３】
続いて、例えば使用者が操作部２３０ａの把持部２３６ａから手を離すと、あるいは把持部２３６ａを引っ張っていた力を緩めると、伝動部材２６３ａは、付勢手段２６９ａから受ける付勢力により、図１１（ａ）に表した矢印Ａ２１の方向へ移動する。すると、連結部材２６５ａは、図１１（ａ）に表した矢印Ａ２５の方向へ回動軸２６７ａを回動させる。これにより、図１２（ｂ）に表した矢印Ａ２４のように、開閉弁２４０は、支持軸２４３を略中心として上方から下方へ向かって回動する。そして、図１２（ａ）に表したように、開閉弁２４０は、排水ソケット本体２１０の流路断面を開状態とする。
【０１１４】
このように、開閉弁２４０は、伝動部材２６３ａ、連結部材２６５ａおよび回動軸２６７ａを介して付勢手段２６９ａから付勢力を受け、排水ソケット本体２１０の流路断面を開状態とする方向へ付勢されている。そのため、供給電力があるときの通常の便器洗浄において、排水ソケット本体２１０の流路を流れる洗浄水が受ける抵抗を抑制することができる。これにより、水洗大便器１０の排出性能に影響を与えることなく、汚物等が詰まることを抑えた通常通りの便器洗浄を行うことができる。
【０１１５】
本実施形態の排水ソケット２００ａによれば、操作部２３０ａの引っ張り動作を回動軸２６７ａの回動動作に変換することができる。つまり、駆動ユニット２６０ａは、開閉弁２４０の支持軸２４３に効率的にトルクを加えることができる。これにより、使用者は、より容易な操作により、開閉弁２４０のより安定した回動動作を行うことができる。
【０１１６】
前述したように、連結部材２６５ａは、例えば金属の板材により形成され、弾性を有する。つまり、連結部材２６５ａは、板バネの機能を有する。これによれば、連結部材２６５ａは、例えば伝動部材２６３ａ、回動軸２６７ａおよび操作部２３０ａが破損することを抑制することができる。
【０１１７】
すなわち、使用者は、弁体２４１の一部が排水ソケット本体２１０の内側壁２１１と接触した後でも、把持部２３６ａを引っ張ることができる。すると、駆動ユニット２６０ａおよび操作部２３０ａが有する各部材には寸法公差や寸法誤差などがあるため、各部材は、過度の荷重を受けて破損するおそれがある。  
これに対して、連結部材２６５ａは、板バネの機能を有するため、各部材の寸法公差や寸法誤差を吸収することができる。つまり、連結部材２６５ａは、各部材が受ける荷重を緩和することができる。これにより、駆動ユニット２６０ａおよび操作部２３０ａが有する各部材が破損することを抑制することができる。
【０１１８】
次に、さらに他の実施形態の排水ソケットについて、図面を参照しつつ説明する。  
図１５は、さらに他の実施形態の排水ソケットを表す模式的斜視図である。  
図１６は、本実施形態の排水ソケットを表す模式的平面図である。  
図１５（ａ）は、本実施形態にかかる水洗大便器１０を斜め後方から眺めた模式的斜視図である。図１５（ｂ）は、本実施形態にかかる水洗大便器１０を図１５（ａ）に表した矢印Ａ１６の方向にみたときの模式的斜視図である。  
図１６（ａ）は、本実施形態にかかる水洗大便器１０を左側方から眺めた模式的平面図である。図１６（ｂ）は、本実施形態にかかる水洗大便器１０を後方から眺めた模式的平面図である。
【０１１９】
本実施形態の排水ソケット２００ｂは、トイレ室の床面ではなく壁面などに設けられた排水管５０へ汚物等を排出する場合に用いられる。  
便器本体１００は、図１（ａ）および図１（ｂ）に関して前述した便器本体１００と同様である。
【０１２０】
本実施形態の排水ソケット２００ｂは、便器本体１００の内部に設けられ、排水トラップ部１２０の下流端１２１と、排水管５０の上流端と、を接続する。排水ソケット２００ｂは、排水ソケット本体２１０と、パッキン２２０と、操作部２３０ｂと、駆動ユニット２６０ｂと、を有する。排水ソケット２００ｂの他の設置形態は、図９（ａ）〜図１０（ｂ）に関して前述した排水ソケット２００ａの設置形態と同様である。
【０１２１】
操作部２３０ｂは、例えばレリースワイヤなどである。すなわち、図１５（ａ）および図１５（ｂ）に表した操作部２３０ｂは、アウターチューブ２３１ｂと、インナーワイヤ２３３ｂと、把持部２３６ｂと、を有する。インナーワイヤ２３３ｂは、アウターチューブ２３１ｂの内部を移動自在に設けられている。例えば、使用者が把持部２３６ｂを掴み引っ張ると、インナーワイヤ２３３ｂは、アウターチューブ２３１ｂの内部から引き出される方向へ移動する。
【０１２２】
図１５（ａ）〜図１６（ｂ）に表したように、操作部２３０ｂは、便器本体１００の後方へ引き出されている。なお、図１５（ａ）に表した操作部２３０ｂは、説明の便宜上、便器本体１００の外部へ引き出されている。図１５（ｂ）、図１６（ａ）および図１６（ｂ）に表したように、操作部２３０ｂが便器本体１００に取り付けられた状態では、インナーワイヤ２３３ｂ、アウターチューブ２３１ｂおよび把持部２３６ｂは、便器本体１００の内部において適宜配置されている。例えば、使用者は、便器本体１００の側部に取り付けられたパネル１０１を取り外すことにより、把持部２３６ｂをより容易に掴み操作することができる。駆動ユニット２６０ｂについては、後に詳述する。
【０１２３】
図１７は、本実施形態の排水ソケットを表す模式的平面図である。  
図１８は、本実施形態の排水ソケットの内部を表す模式的断面図である。  
図１９は、本実施形態の排水ソケットを表す模式的斜視図である。  
図２０は、本実施形態の排水ソケットを表す模式的平面図である。
【０１２４】
図１７（ａ）は、操作部が操作される前の駆動ユニットの状態を表す模式的平面図である。図１７（ｂ）は、操作部が操作された後の駆動ユニットの状態を表す模式的平面図である。  
図１８（ａ）および図１８（ｂ）は、図１９（ａ）に表した切断面Ｅ−Ｅにおける模式的断面図である。図１８（ａ）は、排水ソケット本体の流路断面が開状態である場合を表す。図１８（ｂ）は、排水ソケット本体の流路断面が閉状態である場合を表す。  
図１９（ａ）は、排水ソケットを表す模式的斜視図である。図１９（ｂ）は、駆動ユニットおよび開閉弁を拡大して表した模式的斜視図である。図１９（ｂ）では、排水ソケット本体２１０を省略している。
【０１２５】
図１７（ａ）および図１７（ｂ）に表したように、駆動ユニット２６０ｂは、排水ソケット本体２１０の外側に付設されている。駆動ユニット２６０ｂは、ケース部材２６１ｂと、伝動部材２６３ｂと、連結部材２６５ｂと、回動軸２６７ｂと、付勢手段２６９ｂ（第２の付勢手段）と、を有する。ケース部材２６１ｂは、操作部２３０ｂのアウターチューブ２３１ｂ、伝動部材２６３ｂ、連結部材２６５ｂ、回動軸２６７ｂおよび付勢手段２６９ｂを保持する。
【０１２６】
伝動部材２６３ｂは、接続部２６４ｂにおいて操作部２３０ｂのインナーワイヤ２３３ｂと連結されている。伝動部材２６３ｂは、インナーワイヤ２３３ｂの移動に伴いケース部材２６１ｂに案内されて移動する。伝動部材２６３ｂは、連結部材２６５ｂおよび回動軸２６７ｂを介して支持軸２４３にトルクを加える。連結部材２６５ｂは、伝動部材２６３ｂと回動軸２６７ｂとを連結する。連結部材２６５ｂは、例えば金属の板材により形成され、弾性を有する。回動軸２６７ｂは、ケース部材２６１ｂに対して回動自在に軸支され、開閉弁２４０の支持軸２４３と接続されている。開閉弁２４０は、回動軸２６７ｂが回動すると、例えば図１８（ａ）に表した矢印Ａ３３あるいは図１８（ｂ）に表した矢印Ａ３４のように回動する。
【０１２７】
付勢手段２６９ｂとしては、例えばコイルばねなどが挙げられる。図１７（ａ）および図１７（ｂ）に表したように、付勢手段２６９ｂの一端は、ケース部材２６１ｂと接触している。付勢手段２６９ｂの他端は、伝動部材２６３ｂと接触している。あるいは、付勢手段２６９ｂの他端は、伝動部材２６３ｂに取り付けられている。
【０１２８】
駆動ユニット２６０ｂは、操作部２３０ｂの操作（例えば把持部２３６ｂの引っ張り動作）を回動軸２６７ｂの回動動作に変換する。  
すなわち、例えば使用者が操作部２３０ｂを操作する（例えば把持部２３６ｂを引っ張る）前においては、付勢手段２６９ｂは、図１７（ａ）に表した矢印Ａ３１の方向へ伝動部材２６３ｂを付勢している。これにより、連結部材２６５ｂは、図１７（ａ）に表した矢印Ａ３５の方向へ回動軸２６７ｂを回動させている。このとき、図１８（ａ）に表したように、開閉弁２４０は、開状態に維持されている。言い換えれば、開閉弁２４０は、排水ソケット本体２１０の流路断面を開状態としている。つまり、付勢手段２６９ｂは、開閉弁２４０が排水ソケット本体２１０の流路断面を開状態とする方向へ伝動部材２６３ｂを付勢する。
【０１２９】
例えば使用者が操作部２３０ｂを操作する（例えば把持部２３６ｂを引っ張る）と、 操作部２３０ｂのインナーワイヤ２３３ｂは、伝動部材２６３ｂを引っ張る。すると、伝動部材２６３ｂは、付勢手段２６９ｂから受ける付勢力に対抗しつつ、図１７（ｂ）に表した矢印Ａ３２の方向へ移動する。すると、連結部材２６５ｂは、図１７（ｂ）に表した矢印Ａ３６の方向へ回動軸２６７ｂを回動させる。これにより、図１８（ａ）に表した矢印Ａ３３のように、開閉弁２４０は、支持軸２４３を略中心として下方から上方へ向かって回動する。
【０１３０】
そして、図１８（ｂ）に表したように、弁体２４１の一部は、排水ソケット本体２１０の内側壁２１１と接触する。一方で、弁体２４１の他の一部は、排水ソケット本体２１０の内側壁２１１と接触しない。つまり、弁体２４１の他の一部と排水ソケット本体２１０の内側壁２１１との間には、隙間が存在する。
【０１３１】
具体的には、開閉弁２４０が排水ソケット本体２１０の流路断面を閉状態としているときには、弁体２４１の先端部２４１ａは、排水ソケット本体２１０の内側壁２１１と接触している。一方で、弁体２４１の周縁部２４１ｃと、排水ソケット本体２１０の内側壁２１１と、の間には、隙間が存在する。そのため、図１８（ｂ）に表した矢印Ａ３７のように、排水トラップ部１２０を通過し排水ソケット本体２１０に流入した水は、弁体２４１の周縁部２４１ｃと排水ソケット本体２１０の内側壁２１１との間の隙間を通過し排水管５０へ排出される。
【０１３２】
これによれば、ボウル部１１０の外部に洗浄水が溢れることを抑制することができる。また、支持軸２４３から比較的遠い先端部２４１ａが排水ソケット本体２１０の内側壁２１１と接触することで、弁体２４１と排水ソケット本体２１０の内側壁２１１との間の隙間をより容易に制御することができる。
【０１３３】
続いて、例えば使用者が操作部２３０ｂの把持部２３６ｂから手を離すと、あるいは把持部２３６ｂを引っ張っていた力を緩めると、伝動部材２６３ｂは、付勢手段２６９ｂから受ける付勢力により、図１７（ａ）に表した矢印Ａ３１の方向へ移動する。すると、連結部材２６５ｂは、図１７（ａ）に表した矢印Ａ３５の方向へ回動軸２６７ｂを回動させる。これにより、図１８（ｂ）に表した矢印Ａ３４のように、開閉弁２４０は、支持軸２４３を略中心として上方から下方へ向かって回動する。そして、図１８（ａ）に表したように、開閉弁２４０は、排水ソケット本体２１０の流路断面を開状態とする。
【０１３４】
このように、開閉弁２４０は、伝動部材２６３ｂ、連結部材２６５ｂおよび回動軸２６７ｂを介して付勢手段２６９ｂから付勢力を受け、排水ソケット本体２１０の流路断面を開状態とする方向へ付勢されている。そのため、供給電力があるときの通常の便器洗浄において、排水ソケット本体２１０の流路を流れる洗浄水が受ける抵抗を抑制することができる。これにより、水洗大便器１０の排出性能に影響を与えることなく、汚物等が詰まることを抑えた通常通りの便器洗浄を行うことができる。
【０１３５】
本実施形態の排水ソケット２００ｂによれば、操作部２３０ｂの引っ張り動作を回動軸２６７ｂの回動動作に変換することができる。つまり、駆動ユニット２６０ｂは、開閉弁２４０の支持軸２４３に効率的にトルクを加えることができる。これにより、使用者は、より容易な操作により、開閉弁２４０のより安定した回動動作を行うことができる。
【０１３６】
前述したように、連結部材２６５ｂは、例えば金属の板材により形成され、弾性を有する。つまり、連結部材２６５ｂは、板バネの機能を有する。これによれば、図９〜図１４に関して前述した排水ソケット２００ａと同様に、駆動ユニット２６０ａおよび操作部２３０ａが有する各部材が破損することを抑制することができる。
【０１３７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器本体１００および排水ソケット２００などが備える各要素の形状、寸法、材質、配置などや排水ソケット２００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１３８】
１０ 水洗大便器、  ５０ 排水管、  １００ 便器本体、  １０１ パネル、  １１０ ボウル部、  １１１ ジェット吐水口、  １１３ リム吐水口、  １２０ 排水トラップ部、  １２１ 下流端、  １２３ トラップ頂部、  １５０ 洗浄水供給手段、  １５１ 給水路、  １５２ 止水栓、  １５３ ストレーナ、  １５４ 分岐金具、  １５５ 定流量弁、  １５６ 電磁弁、  １５７ 切替弁、  １５９ リム側給水路、  １６１ タンク側給水路、  １６２ ポンプ側給水路、  １６３ ジェット側給水路、  １６３ａ ジェット側給水路頂部、  １６４ リム吐水用バキュームブレーカ、  １６５ 戻り管路、  １６６ ジェット吐水用バキュームブレーカ、  １６７ フロート式逆止弁、  １６８ オーバーフロー流路、  １６８ａ オーバーフロー口、  １６９ フロート式逆止弁、  １７１ 水抜栓、  １７２ トレイ、  １７３ 加圧ポンプ、  １７４ コントローラ、  １７５ 上端フロートスイッチ、  １７６ 下端フロートスイッチ、  １７７ 貯水タンク、  １７８ フラッパー弁、  ２００、２００ａ、２００ｂ 排水ソケット、  ２１０ 排水ソケット本体、  ２１１ 内側壁、  ２２０ パッキン、  ２３０、２３０ａ、２３０ｂ 操作部、  ２３１ａ、２３１ｂ アウターチューブ、  ２３３ａ、２３３ｂ インナーワイヤ、  ２３５ 付勢手段、  ２３６ａ、２３６ｂ 把持部、  ２４０ 開閉弁、  ２４１ 弁体、  ２４１ａ 先端部、  ２４１ｂ 背面、  ２４１ｃ 周縁部、  ２４３ 支持軸、  ２５０ サイホン誘発手段、  ２５１ 絞り部、  ２５３ａ、２５３ｂ、２５３ｃ、２５３ｄ 突起部、  ２５５ 内側壁、  ２６０ａ、２６０ｂ 駆動ユニット、  ２６１ａ、２６１ｂ ケース部材、  ２６３ａ、２６３ｂ 伝動部材、  ２６４ａ、２６４ｂ 接続部、  ２６５ａ、２６５ｂ 連結部材、  ２６７ａ、２６７ｂ 回動軸、  ２６９ａ、２６９ｂ 付勢手段
【図１】
2013227852.tif 000003
【図２】
2013227852.tif 000004
【図３】
2013227852.tif 000005
【図４】
2013227852.tif 000006
【図５】
2013227852.tif 000007
【図６】
2013227852.tif 000008
【図７】
2013227852.tif 000009
【図８】
2013227852.tif 000010
【図９】
2013227852.tif 000011
【図１０】
2013227852.tif 000012
【図１１】
2013227852.tif 000013
【図１２】
2013227852.tif 000014
【図１３】
2013227852.tif 000015
【図１４】
2013227852.tif 000016
【図１５】
2013227852.tif 000017
【図１６】
2013227852.tif 000018
【図１７】
2013227852.tif 000019
【図１８】
2013227852.tif 000020
【図１９】
2013227852.tif 000021
【図２０】
2013227852.tif 000022